(57)【要約】【課題】貯水タンクにおいて、設置場所の選定に限定を受けることなく、設置スペースに応じて自由に設置可能にし、異なる使用水量に合わせてタンク容積を任意に変更可能にし、しかも、設置場所への運搬を容易にすると共に設置現場で１人で簡単に且つ迅速に組み立てることを可能にする。【解決手段】矩形板状の側面パネル２０と、直角に隣接する側面パネル相互の側縁を嵌め込む連結凹部２３ａを有する角部支柱２３と、横一列に隣接する側面パネル相互の側縁を嵌め込む接続凹部を有する側部支柱と、側面パネルを載置してその下縁が係合する連結部３１ａを有する矩形状の底板２１と、側面パネルの上縁に係合して被せる浅い矩形箱キャップ状の蓋体２２とを、それぞれ大きさ及び形状が共通の組立ユニット材として備え、これら組立ユニット材を用いて、全体が所望立体形状の槽体又は直方体を単位として所望個数の槽体に組み立てる。【選択図】        図１
2004150069.tif 000002
【特許請求の範囲】
【請求項１】
袋状の防水シートを介して水を貯留する組立式貯水タンクであって、矩形板状の側面パネルと、直角に隣接する側面パネル相互の側縁を嵌め込む連結凹部を有する角部支柱と、横一列に隣接する側面パネル相互の側縁を嵌め込む接続凹部を有する側部支柱と、側面パネルを載置してその下縁が係合する連結部を有する矩形状の底板と、側面パネルの上縁に係合して被せる浅い矩形箱キャップ状の蓋体とを、それぞれ大きさ及び形状が共通の組立ユニット材として備え、それら組立ユニット材を用いて、全体が所望立体形状の槽体、又は直方体を単位として所望個数の槽体に組立可能に構成してなることを特徴とする、組立式貯水タンク。
【請求項２】
前記組立ユニット材の前記側面パネルが、金属薄板を個々の断面が交互に略台形状をなす全体に角波形状に曲げ成形した本体板材と、金属薄板からなる平板状の外装板材とを張り合せて固着して鉛直方向に中空なパイプ部を連続的に形成し、各中空パイプ部内に断面略ハット形に曲げ成形した補強板を接合して構成してなることを特徴とする、請求項１に記載の組立式貯水タンク。
【請求項３】
前記組立ユニット材の前記側面パネルが、ダンボールを多層に接着して張り合わせてなるダンボール積層板を有し、該ダンボール積層板の全面に金属薄板製の外装板を張り付けて被覆してなることを特徴とする、請求項１に記載の組立式貯水タンク。
【発明の詳細な説明】
【０００１】
【発明の属する技術分野】本発明は、各種の使用目的に応じて、水道水や雨水を貯留するのに好適な組立式貯水タンクに関する。
【０００２】
【従来の技術】この種の貯水タンクは、多様な利用目的のために使用されるが、その中に、たとえば雨水をトイレ洗浄や庭の散水などに利用する雨水利用システムの雨水貯留槽に用いられるものがある。
【０００３】
従来、そのような雨水利用システムでは、たとえば図１１に示すように、住宅１周縁の敷地内に貯水タンク２を設置する一方、屋根３から流れる雨水４を集水する雨樋３ａに貯水タンク２を連結し、その貯水タンク２内に雨水を流入させて貯留している。貯水タンク２内の貯留水は、必要に応じて給水ポンプ５で汲み上げて、送水用配管６を通してトイレの水洗タンク７ａや風呂の浴槽８へ向けて送給し、便器７と浴槽８の洗浄に供している。（例えば、特許文献１参照。）。
【０００４】
【特許文献１】
特開平１０−６６８１１号（第２頁、第３頁、図１、図２）。
【０００５】
【発明が解決しようとする課題】ところが、上述のような従来の貯水タンク２は、図示のとおり、大型な容積固定の定形水槽で構成されているため、（１）敷地上の限られた設置スペースによって設置場所の選定に限定を受け、狭い場所では設置不能な場合がある。（２）家庭の規模に応じて使用水量が異なるが、その使用水量の違いに合わせてタンク容積を任意に変更できない。（３）設置場所までの運搬に極めて不便である。（４）組立施工が大掛かりで、著しく手間と時間を要するという課題があった。
【０００６】
そこで、本発明の目的は、貯水タンクにおいて、設置場所の選定に限定を受けることなく設置スペースに応じて設置可能にし、異なる使用水量に合わせてタンク容積を任意に変更可能にし、しかも、設置場所への運搬を容易にするとともに、設置現場で１人で簡単に且つ迅速に組み立てることを可能にすることにある。
【０００７】
【課題を解決するための手段】したがって、上記目的を達成すべく、請求項１に記載の発明は、たとえば以下に図面を用いて説明する実施の形態に示すとおり、袋状の防水シート３５を介して水を貯留する組立式貯水タンクであって、矩形板状の側面パネル２０と、直角に隣接する側面パネル２０相互の側縁を嵌め込む連結凹部２３ａを有する角部支柱２３と、横一列に隣接する側面パネル２０相互の側縁を嵌め込む接続凹部２４ａを有する側部支柱２４と、側面パネル２０を載置してその下縁が係合する連結部３１ａを有する矩形状の底板２１と、側面パネル２０の上縁に係合して被せる浅い矩形箱キャップ状の蓋体２２とを、それぞれ大きさ及び形状が共通の組立ユニット材として備え、それら組立ユニット材を用いて、全体が所望立体形状の槽体又は直方体を単位として所望個数の槽体に組立可能に構成してなることを特徴とする。
【０００８】
請求項２に記載の発明は、たとえば以下に図面を用いて説明する実施の形態に示すとおり、請求項１に記載の組立式貯水タンクにおいて、前記組立ユニット材の前記側面パネル２０は、金属薄板を個々の断面が交互に略台形状をなす全体に角波形状に曲げ成形した本体板材２５と、金属薄板からなる平板状の外装板材２６とを張り合せて固着して鉛直方向に中空なパイプ部２９を連続的に形成し、各中空パイプ部２９内に断面略ハット形に曲げ成形した補強板２７を接合して構成してなることを特徴とする。
【０００９】
請求項３に記載の発明は、たとえば以下に図面を用いて説明する実施の形態に示すとおり、請求項１に記載の組立式貯水タンクにおいて、前記組立ユニット材の前記側面パネル２０は、ダンボール７５ａを多層に接着して張り合わせてなるダンボール積層板７５を有し、該ダンボール積層板７５の全面に金属薄板製の外装板７６を張り付けて被覆してなることを特徴とする。
【００１０】
【発明の実施の形態】以下、図面を参照しつつ、本発明の実施の形態について説明する。
【００１１】
図６は、本発明の一例である組立式貯水タンクを備える雨水利用システムを示す全体構成図である。図示雨水利用システムには、雨水を浄化する沈殿槽Ａと、浄化した雨水を貯留する本発明の組立式貯水タンクＴ１・Ｔ２と、貯水タンク内の水位を検知する水位検知器Ｃと、貯水タンク内の貯留水を汲み上げる給水ポンプＰと、給水ポンプＰの作動などシステム全体を制御する制御装置Ｅと、制御装置Ｅの判断結果に応じて水位などを表示する表示装置Ｓとを備える。
【００１２】
沈殿槽Ａは、架台１０上に縦長な円筒状の槽本体１１を設置し、槽本体１１に、その周壁上部に連結した雨水流入管１２と連通するメッシュ籠１３と、該メッシュ籠１３に上端部を連結した異物回収用の樹脂製ジャバラホース１４とを内設している。槽本体１１の底壁には、ジャバラホース１４の下端部を連結して沈殿物を流出させる沈殿物排水バルブ１５が付設されている。雨水流入管１２は、住宅Ｈの雨樋１６とともに、オーバーフロー管１７と連結されて配管されている。そして、沈殿槽Ａでは、雨樋１６から雨水とともに流入する異物をメッシュ籠１３で受けて回収すると共に、ジャバラホース１４を通して微細な異物を沈殿させて雨水を浄化する一方、微細な異物は、沈殿物排水バルブ１５を開けて排出処理する構成になっている。図中符号Ｂは、水洗タンク１８を備えたトイレの便器本体である。
【００１３】
貯水タンクＴ１・Ｔ２は、いずれも図１に示すとおり、それぞれ大きさ及び形状が同じ複数種の組立ユニット材を備え、これら組立ユニット材を用いて、図示例では個々に直方体状の槽体に組み立ててなる。
【００１４】
組立ユニット材としては、側面パネル２０と、底板２１と、蓋体２２と、必要に応じて側面パネル２０の連結用に使う角部支柱２３および側部支柱２４を、それぞれ１種類づつ備える。
【００１５】
側面パネル２０は、図示例では全体に直方形板状につくり、図２に示すように、いずれも同じ長さの金属薄板、たとえば薄鋼板製の本体板材２５と外装板材２６と複数の補強板２７を張り合せて形成してなる。本体板材２５は、個々の断面が交互に長短の略台形状をなす、全体に角波形状に曲げ成形している。一方、外装板材２６は、薄肉な平板で、図示例では、防錆性・美的外観性を考慮し、所謂５５％溶融亜鉛メッキ鋼鈑を用いる。勿論、表面を任意の色彩に塗装した鋼鈑などを用いてもよい。補強板２７は、長手平板を断面略ハット形に曲げ成形している。
【００１６】
そして、斯かる形状の本体板材２５と外装板材２６とを重ね合せて、互いの当接面で、たとえば樹脂製接着剤により接着する。また、本体板材２５と外装板材２６間にできる鉛直方向に長い断面略台形状の中空パイプ部２９に、それぞれ補強板２７を内設し、相互に接着剤で接着し張り合せて１つの側面パネル２０を作製する。したがって、側面パネル２０は、各々が細長い角パイプ部分２９ａで細分された中空パイプ部２９が幅方向に連続的に並設され、これら中空パイプ部２９により水圧に対する高い強度を保持させる構成になっている。なお、この場合、各板材２５・２６・２７は、上述のように接着による場合に限られず、溶接やリベット止めなどの適宜固定手段で固着して接合させることもできる。
【００１７】
底板２１は、図１に示すように、複数の角パイプ材３０ａを用いて略正方形状に組み立てた補強枠体３０を備え、その補強枠体３０に、たとえば上記溶融亜鉛メッキ鋼鈑を張り付けて四方の側縁板部３１および底板部３２を形成する。側縁板部３１は、補強枠体３０より高さを若干高く形成し、側面パネル２０を立てて載置したとき、そのパネル下縁が係合する連結リブ（連結部）３１ａを形成してなる。
【００１８】
蓋体２２は、薄肉な、たとえば上記溶融亜鉛メッキ鋼鈑を用い、側面パネル２０の上縁に係合させて被せる略正方形状の浅い箱キャップ状に形成してなる。図示例では、蓋体２２の上面２２ａを、全体に若干片側へ傾斜させて形成してなる。
【００１９】
角部支柱２３は、たとえばアルミニウム押出し成形により、側面パネル２０と略同じ長さで、全体を略直角に曲げた長手アングル材状に作製し、両側縁の長さ方向に沿って、直角に隣接する側面パネル２０相互の側縁を嵌め込む、断面コ字状の連結凹部２３ａを形成してなる。さらに、図３（ａ）でも示すように、連結凹部２３ａ間のコーナーに補強用の骨板部２３ｂを有する。
【００２０】
側部支柱２４は、角部支柱２３と同様、たとえばアルミニウム押出し成形により、全体を側面パネル２０と略同じ長さの板フレーム材状に形成し、両側縁の長さ方向に沿って、図４（ａ）に示すように、横一列に隣接する側面パネル２０相互の側縁を嵌め込む、断面コ字形の接続凹部２４ａを形成してなる。
【００２１】
さて、本発明において、上述した組立ユニット材を用いて貯水タンクＴ１・Ｔ２を組み立てる場合は、貯水タンクＴ１・Ｔ２を組み立てるために必要な数の組立ユニット材を適宜に選んで、分解状態で設置現場の住宅Ｈへと運搬する。そして、住宅Ｈの設置現場では、敷地内の所定設置スペースと、住宅Ｈでのトイレ洗浄に必要な使用水量などを勘案し、図示例では、適宜の組立ユニット材を使って同じ直方体の槽体を２個独立に組み立て、横に並設した貯水タンクＴ１・Ｔ２を構築する。
【００２２】
組立時は、直角に隣接させた側面パネル２０相互の側縁を、図３（ｂ）に示すように角部支柱２３の連結凹部２３ａに嵌め込んで止めネジ３４で固定し、図１に示すように上下開放の角筒体ｋを構築する。さらに、角筒体ｋの矩形下縁を底板２１の補強枠体３０上に載置し、連結リブ３１ａに係合させて連結する。一方、角筒体ｋの矩形上縁には、矩形側板部２２ｂを係合して蓋体２２を被せる。これによって、所定容積を有する最小単位の槽体が１個組み立てられる。図示例では、住宅Ｈでの所定設置スペースと使用水量に合わせて、同じ槽体を更に１個、同様の組立ユニット材を使って同じ直方体状の槽体に組み立てる。
【００２３】
組み立てた貯水タンクＴ１・Ｔ２内には、図５に示すように、袋状の、たとえばポリ塩化ビニール製防水シート３５を内設する。防水シート３５には、その上縁に係合穴３５ａが等間隔に設けられいる。一方、蓋体２２が被さる側面パネル２０の上縁には、係合穴３５ａの穴位置に合わせて等間隔にフック３６を組み付けている。フック３６は、側面パネル２０の上縁に嵌め込むコ形板片部３６ａの一端から、上向きに爪状の掛止め部３６ｂを曲げ延ばした形状になっている。そして、掛止め部３６ｂを係合穴３５ａに係合させて、防水シート３５をフック３６で保持して貯水タンクＴ１・Ｔ２を液密構造にしている。
【００２４】
これら貯水タンクＴ１・Ｔ２には、たとえば図６に示すように、図中左右に対向する一対の側面パネル２０に、パイプ接続用のフランジ継手４０〜４７を付設する。そして、貯水タンクＴ２を、一端をフランジ継手４７に接続した縦パイプ４８およびフレキシブル管４９を介して沈殿槽Ａと連結する。貯水タンクＴ２と貯水タンクＴ１間は、フレキシブル管５８を介して連結して互いに連通させている。フレキシブル管５８は、一端をフランジ継手４５に接続する一方、他端を逆支弁５０に繋いでフランジ継手４３に接続している。
【００２５】
一方の貯水タンクＴ１には、上側のフランジ継手４２に、逆止弁５１と、上水補給制御用の電磁弁５２とを順に接続し、電磁弁５２を接続した上水補給用配管５３を介して不図示の水道栓側と連結し、水道水を適宜補給する構造になっている。そして、貯水タンクＴ１内には、上水補給管５４を垂設し、その上端部をフランジ継手４２に接続して上水補給用配管５３と連通させている。
【００２６】
また、貯水タンクＴ１には、蓋体２２上に給水ポンプＰを搭載している。給水ポンプＰは、吸水管５５を、蓋体２２を通して貯水タンクＴ１内に垂設する一方、水洗タンク１８へと配管された給水用配管５６の一端が接続されている。給水用配管５６の途中には、異物除去用のメッシュフィルタ５７を付設してある。
【００２７】
さらに、貯水タンクＴ１の蓋体２２上には、給水ポンプＰと隣接して水位検知器Ｃを搭載している。水位検知器Ｃは、球状フロート６５を、ワイヤ６３で吊持して貯水タンクＴ１内に上下動可能に浮設する一方、制御装置（制御盤）Ｅに電気的に接続している。そして、貯水タンクＴ１内で変化するフロート６５の高さ位置に応じ電圧を出力して水位を感知し、この電圧値に基づいて制御装置Ｅで判断して水位を随時検知するようになっている。
【００２８】
制御装置Ｅは、住宅Ｈの適宜壁面に設置し、ＡＣ電源Ｖに接続すると共に、給水ポンプＰおよび上水補給制御用の電磁弁５２とも電気的に接続し、水位検知結果に従って給水ポンプＰの作動を制御し、電磁弁５２の開閉を制御するほか、雨水利用システム全体の作動をコントロールする。そして、この制御装置Ｅは、判断結果に応じて水位信号を送信して水位を表示させる表示装置（表示盤）Ｓに電気的に接続している。
【００２９】
さて、図示雨水利用システムでは、図６に示す住宅Ｈの雨樋１６から雨水流入管１２を通して雨水が沈殿槽Ａ内に流入すると、槽本体１１内で異物をメッシュ籠１３で受けて分離し浄化しながら、雨水を、いったん槽本体１１内に収容し、さらにフレキシブル管４８および縦パイプ４９を通して貯水タンクＴ２へ流入させ、続いて、フレキシブル管５０を通して貯水タンクＴ１へと流入させて、経時、貯水タンクＴ１・Ｔ２内に貯留する。
【００３０】
そして、図示雨水利用システムでは、貯留タンクＴ１・Ｔ２内の水位を水位検知器Ｃで検知して制御装置Ｅで監視しながら、給水ポンプＰで貯留水を汲み上げ、途中でメッシュフィルタ５７により異物を除去しながら、給水用配管５６を通してトイレの水洗タンク１８へ向けて送給する。このとき、貯水タンクＴ１・Ｔ２の貯水量に応じて、水位検知器Ｃにより、所定の上水補給開始水位を検知すると、電磁弁５２を開いて上水を補給する。その後、所定の上水補給停止水位を検知すると、電磁弁５２を閉じて上水の補給を停止する。そうして、常に貯水タンクＴ１・Ｔ２内を一定水位に保持する。
【００３１】
一方で、貯水タンクＴ１内が何らかの原因で負圧になったりしたとしても、汚れた雨水が上水補給用配管５３を通して逆流しないように、逆止弁５１で防止する。他方、貯水タンクＴ１・Ｔ２間の逆止弁５０により、雨水の流れを一方向に規制し、貯水タンクＴ１内の貯留水が貯水タンクＴ２へ逆流するのを防止して上水の補給量を必要最小限に留めている。なお、たとえば水漏れ等が原因で、水位検知器Ｃが、所定の異常水位を検知したときには、給水ポンプＰの作動を停止させる。そして、図示雨水利用システムでは、貯水タンクＴ１・Ｔ２の水位とともに、雨水利用状況をトイレ内で簡単に利用者が確認できるように、表示装置Ｓで表示している。
【００３２】
次に、図示雨水利用システムでは、住宅Ｈに特有の状況から、タンク設置スペースと使用水量などを考慮し、組立ユニット材を使って同じ直方体の槽体を２個独立に組み立て、相互にフレキシブル管５０で連結して貯水タンクＴ１・Ｔ２を構築した。しかし、本発明では、住宅の状況に応じてタンク設置スペースと使用水量などを適宜考慮し、大きさ及び形状が同じ上記組立ユニット材の側面パネル２０・底板２１・蓋体２２・角部支柱２３・側部支柱２４を適宜選択的に用いて、以下の通り、全体が異なる立体形状の槽体、又は直方体を単位に異なる個数の槽体に組み立てて貯水タンクを構成することができる。
【００３３】
まず、上述の実施の形態では、貯水タンクＴ１・Ｔ２のように直方体の槽体を２個組み立てて、それらをフレキシブル管５８で繋いで連結する分割式の例を示した。しかし、斯かる分割式の場合、上記組立ユニット材を用いて、同じ直方体の槽体を３個以上組み立て、それらを直列的にフレキシブル管で繋いで構成することもできる。さらには、例えばコーナー状の敷地に対応すべく、個々の槽体をＬ状にフレキシブル管で繋いだレイアウトにすることもできる。その他、敷地状況に応じて、複数の槽体をフレキシブル管で繋いで配列することで、多様なレイアウト構成にすることもできる。勿論、小規模家庭のような場合は、最小単位である直方体の槽体１個のみで貯水タンクを構成してもよい。
【００３４】
一方、槽体１個のサイズを、図７に示すように、必要に応じて、より大型にすることもできる。図７の例では、貯水タンクＴ３を、上記した槽体が２個分の容積になるように同じ組立ユニット材を使って２連式に組み立てている。この２連式の場合は、加えて、側部支柱２４を用い、図４（ｂ）でも示すように、横一列に隣接する側面パネル２０相互の側縁を接続凹部２４ａに嵌め込んで止めネジ７３で固定する。これにより、図７に示すように、２枚の側面パネル２０を連結して対向する側部をそれぞれ幅広に形成して容積を拡大する。なお、図８に示す２連式の貯水タンクＴ３′は、底板２１として、一辺に連結リブ３１ａを有しない単位材を用い、突き合わせる底板２１間に上向きの出っ張りがないように形成している。さらに、図示貯水タンクＴ３′を、図示しないが、上述のようにフレキシブル管で繋いで直列的に配列した構成にすることもできる。
【００３５】
次に、図９に示す例の貯水タンクＴ４は、上記槽体が３個分の容積になるように、同じ組立ユニット材を使って３連式に組み立てている。したがって、必要ならば、４個以上横に積み重ねて、槽体１個の単位を一層大きくして容積を拡大させることができる。
【００３６】
さらに、本発明の貯水タンクは、単位形状が直方体の槽体を複数個横に重ねて、上記のようにタンク全体が直方形の立体形状に形成する場合に限定されず、その他、適宜の所望立体形状に構築することにより、各種敷地のタンク設置スペースや各家庭の異なる使用水量などに適合させることもできる。
【００３７】
ところで、上述した図示実施の形態において、貯水タンクの側面パネル２０は、角波形状の薄鋼板を用いて構成したが、本発明は、それに限らず、たとえば図１０に示すような構造のものを用いて構成することもできる。図示他例の側面パネル２０は、予めダンボール７５ａを多層に接着して張り合わせたダンボール積層板７５を備え、そのダンボール積層板７５の全面に、薄鋼板製の外装板７６を張り付けて被覆してなる。これによって、水圧に対する剛性を十分に担保する一方で、比較的軽量で取扱上、極めて便利な構成にしている。
【００３８】
なお、以上の図示実施の形態では、本発明による組立式貯水タンクを雨水利用システムに適用した例を示したが、本発明では、水道水を貯留するなど、各種の使用目的に応じて、広く貯水槽として適宜適用し得ることは、勿論である。
【００３９】
【発明の効果】上述のように構成した本発明によれば、次のような効果が得られる。
【００４０】
請求項１に記載の発明によれば、（１）設置場所の選定に限定を受けることなく、たとえ狭い場所であっても、限られた設置スペースに応じて、共通の組立ユニット材を用いて貯水タンクを自由に組み立て設置することができる。（２）共通の組立ユニット材を適宜選択して貯水タンクを自由に組み立てることにより、家庭の規模に応じ異なる使用水量に合わせて、任意にタンク容積を変更して雨水など貯留水の合理的な有効利用を実現させることができる。（３）組立ユニットとして分解してコンパクトにすることができ、そのために取扱に著しく便利であり、しかも、設置場所まで極めて容易に運搬することができる。（４）設置現場で１人でも簡単に、且つ迅速に組み立てることができる。
【００４１】
請求項２に記載の発明によれば、連続的な中空パイプ部を有したパネル構造でるために、それだけ水圧強度が高められ、水圧による撓みの発生を抑制することができる一方で、比較的軽量で、組立時や運搬時等における取扱上の利便性を向上させることができる。
【００４２】
請求項３に記載の発明によれば、同様に、水圧強度が担保されて、水圧による撓みの発生を抑制することができると同時に、一段の軽量化を実現することができ、組立時や運搬時等における取扱上の利便性を一層向上させることができる。
【図面の簡単な説明】
【図１】本発明の一例である貯水タンクを示す分解斜視図である。
【図２】組立ユニット材の側面パネルの平面図である。
【図３】（ａ）角部支柱の平面図、（ｂ）角部支柱で側面パネルを連結した状態を示す平面図である。
【図４】（ａ）側部支柱の平面図、（ｂ）側部支柱で側面パネルを連結した状態を示す平面図である。
【図５】貯水タンク内に防水シートを取り付けた状態を示す部分拡大斜視図である。
【図６】本発明による貯水タンクの一適用例である雨水利用システムを示す全体構成図である。
【図７】２連式の貯水タンクを示す分解斜視図である。
【図８】２連式の貯水タンクの他例を示す分解斜視図である。
【図９】３連式の貯水タンクを示す分解斜視図である。
【図１０】側面パネルの他の構造例を示す横断面図である。
【図１１】従来の貯水タンクを備えた雨水利用システムを示す全体概略構成図である。
【符号の説明】
Ｔ１〜Ｔ４  貯水タンク
２０        側面パネル
２１        底板
２２        蓋体
２３        角部支柱
２３ａ      連結凹部
２４        側部支柱
２４ａ      接続凹部
２５        本体板材
２６        外装板材
２７        補強板
２９        中空パイプ部
３１ａ      底板の連結リブ（連結部）
３５        防水シート
７５        ダンボール積層板
７５ａ      ダンボール
７６        外装板
【図１】
2004150069.tif 000003
【図２】
2004150069.tif 000004
【図３】
2004150069.tif 000005
【図４】
2004150069.tif 000006
【図５】
2004150069.tif 000007
【図６】
2004150069.tif 000008
【図７】
2004150069.tif 000009
【図８】
2004150069.tif 000010
【図９】
2004150069.tif 000011
【図１０】
2004150069.tif 000012
【図１１】
2004150069.tif 000013